(57)【特許請求の範囲】
【請求項１】
ビデオカメラと、フォーカス位置、ズーム位置及び絞り位置の少なくとも１つからなる位置状態を制御するための位置制御リングを備え且つ前記ビデオカメラに装着されるレンズと、前記位置制御リングを回転可能な外付けモーターと、モーター制御信号を出力する制御信号出力部を有するモーションコントローラー装置を備え、
前記ビデオカメラは、内蔵電動機構を有するレンズの位置状態を制御するための内蔵電動機構制御信号が出力可能に構成され、
前記レンズは、前記内蔵電動機構制御信号が入力不能に構成され、
前記モーションコントローラー装置は、前記ビデオカメラから出力された前記内蔵電動機構制御信号の入力を受け付けるように構成され、
前記制御信号出力部は、前記外付けモーターに対して前記モーター制御信号を出力して前記位置制御リングを回転させることによって前記レンズの前記位置状態を制御するように構成される、システム。
【請求項２】
前記ビデオカメラに接続され且つＣＣＵ出力信号を出力可能なカメラコントロールユニットを備え、
前記ビデオカメラは、前記ＣＣＵ出力信号をそのまま又は変換して、前記ＣＣＵ出力信号に対応した前記内蔵電動機構制御信号として出力するように構成される、請求項１に記載のシステム。
【請求項３】
前記ＣＣＵ出力信号は、絞り位置調整用のＣＣＵ出力信号である、請求項２に記載のシステム。
【請求項４】
ビデオカメラのレンズのフォーカス位置及びズーム位置をそれぞれ制御する制御信号を出力するフォーカス制御信号出力部及びズーム制御信号出力部を備え、
前記制御信号は、前記フォーカス位置及び前記ズーム位置を内蔵電動機構によって制御するための内蔵電動機構制御信号、及び、前記フォーカス位置及び前記ズーム位置をそれぞれ制御するためのフォーカスリング及びズームリングを外付けのモーターの回転に伴って回転させることによって前記フォーカス位置及び前記ズーム位置を制御するためのモーター制御信号であり、
前記フォーカス制御信号出力部及びズーム制御信号出力部が出力する前記制御信号が、それぞれ、前記内蔵機構制御信号と前記モーター制御信号のうちの何れであるかが選択可能に構成されている、モーションコントローラー装置。
【発明の詳細な説明】
【技術分野】
【０００１】
本発明は、ビデオカメラのレンズのフォーカス位置、ズーム位置及び絞り位置を制御可能なモーションコントローラー装置に関する。
【背景技術】
【０００２】
一般に、映画の撮影時には放送用の2K、4K、8Kビデオカメラを用いて撮影が行われる。完成度の高い作品を作成するには、画面をズームアップした映像や、現場の臨場感を演出するためにピント送りなど様々な撮影テクニックが必要である。監督がカメラマンに高度な要求をしてそれを実現するには何度も撮影を繰り返し、ピントの送り方や、ズームの速度、絞り調整での映像の明るさを厳密に調整することが重要である。
【発明の概要】
【発明が解決しようとする課題】
【０００３】
フォーカス位置、ズーム位置及び絞り位置の全てについて、一人のカメラマンが厳密に調整を行うことが非常に困難なので、映画撮影においては、フォーカス位置、ズーム位置及び絞り位置の調整は、それぞれ別々の者が担当することがあり、その際の作業分担を容易に行うことを可能にする方法が望まれている。
【０００４】
本発明はこのような事情に鑑みてなされたものであり、フォーカス位置、ズーム位置及び絞り位置の調整の作業分担を容易に行うことを可能にするモーションコントローラー装置を提供するものである。
【課題を解決するための手段】
【０００５】
本発明によれば、ビデオカメラのレンズのフォーカス位置、ズーム位置及び絞り位置をそれぞれ制御する制御信号を出力するフォーカス制御信号出力部、ズーム制御信号出力部、及び絞り制御信号出力部を備える親ユニットと、前記親ユニットから分離され且つ前記親ユニットと通信可能に構成された１又は複数の子ユニットとを備え、前記フォーカス制御信号出力部、前記ズーム制御信号出力部、及び前記絞り制御信号出力部の少なくとも１つからの出力が、それぞれ前記親ユニットと前記子ユニットの何れによって制御されるかを選択可能に構成されている、モーションコントローラー装置が提供される。
【０００６】
本発明では、親ユニットと１又は複数の子ユニットでモーションコントローラー装置を構成し、フォーカス位置、ズーム位置及び絞り位置の制御を親ユニットと子ユニットのどちらで行うのかを選択可能に構成している。このような構成によれば、例えば親ユニットでフォーカス位置の制御を行い、第１子ユニットでズーム位置の制御を行い、第２子ユニットで絞り位置の制御を行うように設定することができるので、親ユニットと第１及び第２子ユニットを別々の者が操作するようにすれば、作業分担を容易に行うことができる。
【０００７】
以下、本発明の種々の実施形態を例示する。以下に示す実施形態は互いに組み合わせ可能である。
好ましくは、前記制御信号は、前記フォーカス位置及び前記ズーム位置を内蔵電動機構によって制御するための内蔵電動機構制御信号と、前記フォーカス位置及び前記ズーム位置をそれぞれ制御するためのフォーカスリング及びズームリングを外付けのモーターの回転に伴って回転させることによって前記フォーカス位置及び前記ズーム位置を制御するためのモーター制御信号の少なくとも一方を備える。
好ましくは、前記フォーカス制御信号出力部及びズーム制御信号出力部が出力する前記制御信号が、それぞれ、前記内蔵機構制御信号と前記モーター制御信号のうちの何れであるかが選択可能に構成されている。
好ましくは、前記制御信号は、前記フォーカス位置及び前記ズーム位置をそれぞれ制御するためのフォーカスリング、及びズームリングを外付けのモーターの回転に伴って回転させることによって前記フォーカス位置及び前記ズーム位置を制御するためのモーター制御信号であり、前記モーターの回転方向を選択可能に構成されている。
好ましくは、所定の操作によって、その操作が行われた時のフォーカス位置、ズーム位置及び絞り位置の少なくとも１つからなる位置状態を記憶する記憶部と、前記位置状態を再現させる再現処理部を備える。
好ましくは、前記再現処理部が前記位置状態を再現する速度が設定可能に構成される。
好ましくは、前記親ユニットと前記子ユニットは、それぞれタリー信号が入力されるタリー信号入力部を備え、前記親ユニットに入力された前記タリー信号に基づいて前記子ユニットに設けられたタリーランプが点灯制御可能に構成され、且つ前記子ユニットに入力された前記タリー信号に基づいて前記親ユニットに設けられたタリーランプが点灯制御可能に構成される。
好ましくは、前記親ユニット及び前記子ユニットは、それぞれ、前記フォーカス位置、前記ズーム位置及び前記絞り位置の少なくとも１つを制御するためのリモートコントローラが接続可能に構成される。
好ましくは、前記親ユニットは、前記ビデオカメラを設置する電動雲台を制御する制御信号を出力する雲台制御信号出力部を備える。
好ましくは、前記雲台制御信号出力部からの出力は、前記親ユニット又は前記子ユニットに接続されたジョイスティックリモコンの操作によって制御される。
【０００８】
本発明の別の観点によれば、ビデオカメラのレンズのフォーカス位置及びズーム位置をそれぞれ制御する制御信号を出力するフォーカス制御信号出力部及びズーム制御信号出力部を備え、前記制御信号は、前記フォーカス位置及び前記ズーム位置を内蔵電動機構によって制御するための内蔵電動機構制御信号又は、前記フォーカス位置及び前記ズーム位置をそれぞれ制御するためのフォーカスリング及びズームリングを外付けのモーターの回転に伴って回転させることによって前記フォーカス位置及び前記ズーム位置を制御するためのモーター制御信号であり、前記フォーカス制御信号出力部及びズーム制御信号出力部が出力する前記制御信号が、それぞれ、前記内蔵機構制御信号と前記モーター制御信号のうちの何れであるかが選択可能に構成されている、モーションコントローラー装置が提供される。
【０００９】
本観点では、モーションコントローラー装置が親ユニットと子ユニットで構成されることが必須ではない。本観点の構成によれば、フォーカス位置及びズーム位置を制御するための内蔵電動機構が設けられていないレンズを用いる場合でも、フォーカス位置及びズーム位置を外部から電動制御することが可能になる。
【００１０】
本発明のさらに別の観点によれば、ビデオカメラのレンズのフォーカス位置、ズーム位置及び絞り位置をそれぞれ制御する制御信号を出力するフォーカス制御信号出力部、ズーム制御信号出力部、及び絞り制御信号出力部と、所定の操作によって、その操作が行われた時のフォーカス位置、ズーム位置及び絞り位置の少なくとも１つからなる位置状態を記憶する記憶部と、前記位置状態を再現させる再現処理部を備え、前記再現処理部が前記位置状態を再現する速度が設定可能に構成される、モーションコントローラー装置が提供される。
【００１１】
本観点では、モーションコントローラー装置が親ユニットと子ユニットで構成されることが必須ではない。本観点の構成によれば、位置状態間の移動速度が任意に設定可能であり、例えば特定のズーム位置にゆっくりと移動させたり、素早く移動させたりすることが可能になるので、印象的な映像を作成しやすい。また、特定のフォーカス位置を記憶させておくことができるので、リハーサルの際に予めピント調整を行って、そのフォーカス位置の状態を記憶させておくことにより、撮影本番時にピンぼけが発生することを防ぐことができる。
【００１２】
本発明のさらに別の観点によれば、ビデオカメラのレンズのフォーカス位置、ズーム位置及び絞り位置の少なくとも１つからなる位置状態を制御するための位置制御リングを外付けのモーターの回転に伴って回転させることによって前記位置状態を制御するためのモーター制御信号を出力する制御信号出力部を備えるモーションコントローラー装置であって、前記モーションコントローラー装置は、内蔵電動機構を有するレンズの位置状態を制御するための内蔵電動機構制御信号が入力可能に構成され、前記制御信号出力部は、前記内蔵電動機構制御信号に対応するように前記モーター制御信号を出力するように構成される、モーションコントローラー装置が提供される。
【００１３】
本観点では、モーションコントローラー装置が親ユニットと子ユニットで構成されることが必須ではない。本観点の構成によれば、内蔵電動機構が設けられていないレンズを用いる場合でも、ＣＣＵ（カメラコントロールユニット）を用いてレンズの電動制御が可能になる。
【図面の簡単な説明】
【００１４】
【図１】本発明の第１実施形態のモーションコントローラー装置１を用いて、ビデオカメラ３のレンズ５のフォーカス位置、ズーム位置及び絞り位置をそれぞれ制御するシステムの構成例を示す。
【図２】本発明の第２実施形態のモーションコントローラー装置１及びＣＣＵ２３を用いて、ビデオカメラ３のレンズ５のフォーカス位置、ズーム位置及び絞り位置をそれぞれ制御するシステムの構成例を示す。
【発明を実施するための形態】
【００１５】
以下、図面を用いて本発明の実施形態について説明する。以下に示す実施形態中で示した各種特徴事項は、互いに組み合わせ可能である。
【００１６】
１．第１実施形態
図１は、本発明の第１実施形態のモーションコントローラー装置１を用いて、ビデオカメラ３のレンズ５のフォーカス位置、ズーム位置及び絞り位置をそれぞれ制御するシステムの構成例を示す。モーションコントローラー装置１は、親ユニット１３と、有線子ユニット２５と、無線子ユニット４５を備え、親ユニット１３と有線子ユニット２５は、有線ＬＣで双方向通信可能に構成されており、親ユニット１３と無線子ユニット４５は、無線ＷＣで双方向通信可能に構成されている。本実施形態では、有線子ユニット２５と無線子ユニット４５は、有線又は無線通信に関わる部分を除いて同一構成になっているが、別々の構成になっていてもよい。なお、有線子ユニット２５と無線子ユニット４５の何れか一方は、省略可能である。また、有線子ユニット２５と無線子ユニット４５は、２台以上設けてもよい。
【００１７】
レンズ５には、フォーカスリング５ｆ、ズームリング５ｚ、絞りリング５ｉ（これらを「位置制御リング」と総称する。）が設けられており、これらのリングを回転させることによって、レンズ５のフォーカス位置、ズーム位置及び絞り位置（これらを「位置状態」と総称する。）を変更可能になっている。また、レンズ５には、内蔵電動機構（不図示）が設けられており、親ユニット１３のフォーカス制御信号出力部１４ｆ、ズーム制御信号出力部１４ｚ、及び絞り制御信号出力部１４ｉから出力される内蔵電動機構制御信号Ｖｆ，Ｖｚ，Ｖｉを入力することによってレンズ５のフォーカス位置、ズーム位置及び絞り位置をそれぞれ変更可能になっている。つまり、レンズ５は、フォーカス位置、ズーム位置及び絞り位置を手動でも電動でも変更可能に構成されている。
【００１８】
フォーカスリング５ｆ、ズームリング５ｚ、絞りリング５ｉの外周は歯車になっており、この歯車に噛み合うように駆動歯車１１ｆ，１１ｚ，１１ｉが配置される。駆動歯車１１ｆ，１１ｚ，１１ｉは、外付けのモーター９ｆ，９ｚ，９ｉによって回転駆動される。モーター９ｆ，９ｚ，９ｉは、親ユニット１３の制御信号出力部１４ｆ，１４ｚ，１４ｉから出力されるモーター制御信号Ｍｆ，Ｍｚ，Ｍｉを入力することによって回転位置が制御可能に構成されている。このような構成によって、レンズ５のフォーカス位置、ズーム位置及び絞り位置がモーター制御信号Ｍｆ，Ｍｚ，Ｍｉによって制御可能になっている。なお、親ユニット１３に設けられたスイッチ１７の操作によってモーター９ｆ，９ｚ，９ｉの回転方向は変更可能である。スイッチ１７は、モーター９ｆ，９ｚ，９ｉの回転方向を個別に制御できるように構成してもよい。このような構成によれば、モーター９ｆ，９ｚ，９ｉを設置する向きを反転させることができる。なお、駆動歯車１１ｆ，１１ｚ，１１ｉは、モーター９ｆ，９ｚ，９ｉに対して着脱可能になっており、リング５ｆ，５ｚ，５ｉの外周の歯車形状に合わせて適切な駆動歯車１１ｆ，１１ｚ，１１ｉを選択して取り付けることが可能になっている。
【００１９】
親ユニット１３には、スイッチ１５ｆ，１５ｚ，１５ｉが設けられており、スイッチ１５ｆ，１５ｚ，１５ｉの操作によって制御信号出力部１４ｆ，１４ｚ，１４ｉが出力する制御信号が、それぞれ、内蔵機構制御信号Ｖｆ，Ｖｚ，Ｖｉとモーター制御信号Ｍｆ，Ｍｚ，Ｍｉのうちの何れであるかが選択可能になっている。図１の例では、制御信号出力部１４ｆ，１４ｚ，１４ｉがＭｆ，Ｍｚ，Ｖｉを出力することによって、フォーカス位置及びズーム位置がモーター９ｆ，９ｚの回転によって制御され、絞り位置が内蔵電動機構によって制御されるようになっている。このような構成によれば、フォーカス位置及びズーム位置を制御するための内蔵電動機構が設けられていないレンズ５を用いる場合でも、フォーカス位置及びズーム位置を外部から電動制御することが可能になる。なお、絞り位置については、ほとんど全てのレンズに内蔵電動機構が設けられているので、絞り制御信号出力部１４ｉについては常に内蔵機構制御信号Ｖｉを出力するように構成してもよい。
【００２０】
親ユニット１３には、スイッチ１６ｆ，１６ｚ，１６ｉが設けられており、スイッチ１６ｆ，１６ｚ，１６ｉの操作によって、制御信号出力部１４ｆ，１４ｚ，１４ｉからの出力が、それぞれ、親ユニット１３、有線子ユニット２５、無線子ユニット４５の何れによって制御されるかを選択可能に構成されている。図１の例では、フォーカス制御信号出力部１４ｆからの出力は親ユニット１３が制御し、ズーム制御信号出力部１４ｚからの出力は有線子ユニット２５が制御し、絞り制御信号出力部１４ｉからの出力は、無線子ユニット４５が制御するように設定されている。なお、制御信号出力部１４ｆ，１４ｚ，１４ｉのうちの少なくとも１つが選択可能になっていればよく、例えば、フォーカス制御信号出力部１４ｆからの出力は常に親ユニット１３が制御するようにして、制御信号出力部１４ｚ，１４ｉの出力が、それぞれ、親ユニット１３、有線子ユニット２５、無線子ユニット４５の何れによって制御されるかを選択可能に構成してもよい。
【００２１】
親ユニット１３は、撮影時には、ビデオカメラ３に取り付けられる場合があり、親ユニット１３を操作する際にビデオカメラ３に衝撃を与えてしまうことを防ぐために、親ユニット１３には、フォーカス位置、ズーム位置及び絞り位置の調整手段を配置せずに、フォーカスリモコン１８ｆ及びズームリモコン１８ｚが接続可能にしている。従って、親ユニット１３では、フォーカスリモコン１８ｆ及びズームリモコン１８ｚを通じて、フォーカス位置及びズーム位置が調整可能になっている。但し、親ユニット１３自体にフォーカス位置、ズーム位置及び絞り位置の調整手段を配置してもよい。
【００２２】
有線及び無線子ユニット２５，４５には、フォーカス位置、ズーム位置及び絞り位置の調整ボリューム２６ｆ，２６ｚ，２６ｉが設けられており、これらの調整ボリュームを操作する（この場合は回転させる）ことによってフォーカス位置、ズーム位置及び絞り位置の調整が可能になっている。また、子ユニット２５，４５には、フォーカスリモコン３２ｆ、ズームリモコン３２ｚ、及び絞りリモコン３２ｉが接続可能になっており、使い慣れたリモコンが利用可能になっている。
【００２３】
子ユニット２５，４５には、フォーカス位置、ズーム位置及び絞り位置からなる位置状態を記憶するための記憶スイッチ２７ａ，２７ｂと、記憶された位置状態を再現させるための実行スイッチ２９ａ，２９ｂと、位置状態を再現する速度を設定するための速度調整ボリューム２８ａ，２８ｂが設けられている。記憶スイッチ２７ａ，２７ｂの機能は同じであり、実行スイッチ２９ａ，２９ｂの機能は同じであり、速度調整ボリューム２８ａ，２８ｂの機能は同じである。従って、本実施形態では、２つの位置状態の記憶及び再現が可能である。記憶及び再現可能な位置状態の数は、増減させることが可能である。位置状態は、フォーカス位置、ズーム位置及び絞り位置の全てを含んでもよく、フォーカス位置とズーム位置のみを含んでもよく、フォーカス位置とズーム位置の何れか一方のみを含んでもよい。
【００２４】
記憶スイッチ２７ａを押すと、その操作が行われた時の際の位置状態Ａが記憶部に記憶される。そして、フォーカス位置、ズーム位置及び絞り位置を移動させた後に、記憶スイッチ２７ｂを押すと、その操作が行われた時の位置状態Ｂが記憶部に記憶される。この状態で、実行スイッチ２９ａを押すと、速度調整ボリューム２８ａで設定された速度で、フォーカス位置、ズーム位置及び絞り位置が位置状態Ｂから位置状態Ａに移動する。次に、実行スイッチ２９ｂを押すと、速度調整ボリューム２８ｂで設定された速度で、フォーカス位置、ズーム位置及び絞り位置が位置状態Ａから位置状態Ｂに移動する。このように本実施形態では、位置状態間の移動速度が任意に設定可能であり、例えば特定のズーム位置にゆっくりと移動させたり、素早く移動させたりすることが可能になるので、印象的な映像を作成しやすい。また、特定のフォーカス位置を記憶させておくことができるので、リハーサルの際に予めピント調整を行って、そのフォーカス位置の状態を記憶させておくことにより、撮影本番時にピンぼけが発生することを防ぐことができる。ズーム位置及び絞り位置についても同様に、リハーサル時に記憶させた状態を正確に再現することができる。なお、ここでは、位置状態ＡとＢの間での移動を例に挙げて説明を行ったが、別の位置状態から位置状態Ａ又はＢに移動させることも可能である。なお、記憶スイッチ、実行スイッチ、及び速度調整ボリュームは、親ユニット１３にも設けてもよい。
【００２５】
有線子ユニット２５には、例えばビデオスイッチャー（不図示）からのタリー信号ＴＬ１を入力することができる。タリーランプ３０は、タリー信号ＴＬ１に基づいて点灯制御されるように構成されている。また、有線子ユニット２５にタリー信号ＴＬ１が入力されると、その信号が親ユニット１３及び無線子ユニット４５に伝達される。そして、親ユニット１３のタリーランプ２０と、無線子ユニット４５のタリーランプ３０が、タリー信号ＴＬ１に基づいて点灯制御される。このような構成によれば、親ユニット１３のタリーランプ２０と、子ユニット２５，４５のタリーランプ３０の点灯・消灯の状態を一致させることができる。
【００２６】
親ユニット１３には、例えばビデオカメラ３からのタリー信号ＴＬ２を入力することができる。タリーランプ２１は、タリー信号ＴＬ２に基づいて点灯制御されるように構成されている。また、親ユニット１３にタリー信号ＴＬ２が入力されると、その信号が子ユニット２５，４５に伝達される。そして、子ユニット２５，４５のタリーランプ３１が、タリー信号ＴＬ２に基づいて点灯制御される。このような構成によれば、親ユニット１３のタリーランプ２１と、子ユニット２５，４５のタリーランプ３１の点灯・消灯の状態を一致させることができる。
【００２７】
ところで、ビデオカメラ３は、電動雲台７上に載置されている。電動雲台７は、図示しない三脚上に設置される。電動雲台７は、親ユニット１３の雲台制御信号出力部１４ｕから出力される雲台制御信号を入力することによって、例えばＸ軸・Ｙ軸方向に移動可能に構成されている。雲台制御信号出力部１４ｕから出力は、例えば、子ユニット２５，４５に接続されたジョイスティックリモコン３２ｊの操作によって制御される。ジョイスティックリモコンは、親ユニット１３に接続させるようにしてもよい。
【００２８】
なお、上記実施形態では、スライド式のスイッチを示しているが、回転式やボタン式など別の形式のスイッチも採用可能である。同様に、上記実施形態では、回転式の調整ボリューム及びスライド式の速度調整ボリュームを用いているが、それぞれ、別の形式のものも採用可能である。以下の実施形態についても同様である。
【００２９】
２．第２実施形態
図２を用いて、本発明の第２実施形態について説明する。本実施形態は、第１実施形態に類似しており、以下、相違点を中心に説明する。
【００３０】
本実施形態では、ビデオカメラ３には、専用のＣＣＵ（カメラコントロールユニット）２３が接続されている。ＣＣＵ２３は、絞り位置の調整ボリューム２３ｉを備え、調整ボリューム２３ｉを操作することによって絞り位置調整用のＣＣＵ出力信号Ｖｉａが変化するように構成されている。ＣＣＵ出力信号Ｖｉａは、ビデオカメラ３に入力され、そのまま又は変換されて、ＣＣＵ出力信号Ｖｉａに対応した内蔵機構制御信号Ｖｉとしてビデオカメラ３から出力される。
【００３１】
多くのレンズ５には、絞り位置を制御するための内蔵電動機構が設けられており、このようなレンズ５は、内蔵機構制御信号Ｖｉをレンズ５に入力することによって絞り位置の電動制御が可能になっている。しかし、ＰＬマウントレンズのようにレンズに内蔵電動機構が設けられていないレンズは、内蔵機構制御信号Ｖｉをレンズに入力できないので、ＣＣＵ２３を用いたレンズの電動絞り制御を行うことができないという問題がある。
【００３２】
このような問題を解決するために、本実施形態では、親ユニット１３は、ビデオカメラ３からの内蔵機構制御信号Ｖｉが入力可能に構成されており、絞り制御信号出力部１４ｉは、内蔵機構制御信号Ｖｉに対応したモーター制御信号Ｍｉを出力可能に構成されている。絞り制御信号出力部１４ｉは、内蔵機構制御信号Ｖｉが入力されると、その入力を検知して、内蔵機構制御信号Ｖｉに対応したモーター制御信号Ｍｉを出力するように構成してもよく、所定のスイッチの操作によって内蔵機構制御信号Ｖｉに対応したモーター制御信号Ｍｉを出力することが選択されたときに、このような信号を出力をするように構成してもよい。
【００３３】
このような構成によれば、ＣＣＵ２３の調整ボリューム２３ｉを操作してＣＣＵ出力信号Ｖｉａを変化させると、その変化に伴ってビデオカメラ３から出力される内蔵機構制御信号Ｖｉが変化し、その変化に伴って親ユニット１３から出力されるモーター制御信号Ｍｉが変化して、絞り位置が調整される。
【００３４】
このように、本実施形態によれば、レンズ５に内蔵電動機構が設けられていない場合でも、ビデオカメラ３に接続された専用のＣＣＵ２３を用いてレンズ５の絞り位置の制御が可能になる。
【００３５】
本発明は、以下の態様でも実施可能である。
【００３６】
・ビデオカメラ３においてＣＣＵ出力信号Ｖｉａを内蔵機構制御信号Ｖｉに変換して出力する代わりに、別途設けたコンバータにおいてＣＣＵ出力信号Ｖｉａを内蔵機構制御信号Ｖｉに変換して出力させてもよい。この場合、コンバータから出力された内蔵機構制御信号Ｖｉが親ユニット１３に入力される。
・ＣＣＵ２３としては、絞り位置の調整ボリューム２３ｉに加えて、フォーカス位置及びズーム位置の調整ボリュームが設けられているものを用いてもよい。この場合、フォーカス位置、ズーム位置、及び絞り位置調整用のＣＣＵ出力信号がＣＣＵ２３から出力されて、ビデオカメラ３に入力される。ビデオカメラ３は、ＣＣＵ出力信号をそのまま又は変換して、内蔵機構制御信号Ｖｆ，Ｖｚ，Ｖｉとして出力する。親ユニット１３は、ビデオカメラ３からの内蔵機構制御信号Ｖｆ，Ｖｚ，Ｖｉが入力可能に構成され、且つ内蔵機構制御信号Ｖｆ，Ｖｚ，Ｖｉに対応したモーター制御信号Ｍｆ，Ｍｚ，Ｍｉを出力可能に構成される。このような構成によれば、レンズ５に内蔵電動機構が設けられていない場合でも、ビデオカメラ３に接続された専用のＣＣＵ２３を用いてレンズ５のフォーカス位置、ズーム位置、及び絞り位置の制御が可能になる。
【符号の説明】
【００３７】
１：モーションコントローラー装置、３：ビデオカメラ、５：レンズ、５ｆ：フォーカスリング、５ｚ：ズームリング、５ｉ：絞りリング、７：電動雲台、９ｆ，９ｚ，９ｉ：外付けのモーター、１１ｆ，１１ｚ，１１ｉ：駆動歯車、２３：ＣＣＵ、Ｖｆ，Ｖｚ，Ｖｉ：内蔵電動機構制御信号、Ｍｆ，Ｍｚ，Ｍｉ：モーター制御信号、ＬＣ：有線、ＷＣ：無線
【図１】
0005937744.tif 000002
【図２】
0005937744.tif 000003